(57)【要約】【課題】  室内の換気時の空調性を向上させ、効率的な空調運転を行う。【解決手段】  圧縮機１８、熱源側熱交換器２１、氷蓄熱槽３６内に設けられた蓄熱コイル３５、及び利用側熱交換器２５を備え、氷蓄熱槽３６に氷を生成する製氷運転を可能とするとともに、冷房運転を可能とした空気調和装置において、外気を氷蓄熱槽３６に導き、この氷蓄熱槽３６で熱交換させた後に室内に導く外気導入部５１を備えた。【選択図】      図１
2006002956.tif 000002
【特許請求の範囲】
【請求項１】
圧縮機、熱源側熱交換器、蓄熱槽内に設けられた蓄熱コイル、及び利用側熱交換器を備え、前記蓄熱槽に氷を生成する製氷運転を可能とするとともに、冷房運転を可能とした空気調和装置において、
外気を前記蓄熱槽に導き、この蓄熱槽で熱交換させた後に室内に導く外気導入手段を備えたことを特徴とする空気調和装置。
【請求項２】
請求項１に記載の空気調和装置において、
前記外気導入手段は、全熱交換器を備え、この全熱交換器で熱交換した外気を前記蓄熱槽に導くことを特徴とする空気調和装置。
【請求項３】
請求項１又は２に記載の空気調和装置において、
前記蓄熱槽には、所定の条件が成立した場合に外気が導かれることを特徴とする空気調和装置。
【請求項４】
請求項１乃至請求項３のいずれか一項に記載の空気調和装置において、
前記外気導入手段は、前記蓄熱槽内に配置され、この蓄熱槽で外気を熱交換させる伝熱管を備えたことを特徴とする空気調和装置。
【請求項５】
請求項１乃至請求項３のいずれか一項に記載の空気調和装置において、
前記外気導入手段は、前記蓄熱槽内に外気を放出する外気放出手段を備え、
この外気放出手段により放出された外気を室内に導くことを特徴とする空気調和装置。
【発明の詳細な説明】
【技術分野】
【０００１】
蓄熱槽に氷を生成する製氷運転を可能とした空気調和装置に関する。
【背景技術】
【０００２】
一般に、圧縮機、熱源側熱交換器、蓄熱槽内に設けられた蓄熱コイル、及び利用側熱交換器を備え、前記蓄熱槽に氷を生成する製氷運転を可能とした空気調和装置が知られている（例えば、特許文献１参照）。この種の空気調和装置では、例えば、夏場において、夜間等に製氷運転を行い、昼間等に熱源側熱交換器からの液冷媒を、蓄熱槽内の蓄熱コイルへ供給させて過冷却状態とし、この過冷却状態の液冷媒を利用側熱交換器へ供給して室内を冷房する冷房運転を行うものである。
【０００３】
また、この種の空気調和装置において、被空調室である室内を換気する換気運転を行うものが知られている。
【特許文献１】特開２００３−１０６５７６号公報
【発明の開示】
【発明が解決しようとする課題】
【０００４】
しかしながら、上記空気調和装置では、室内の換気によって外気が室内に導入されることとなるので、室内温度と室内に導入される外気温度との温度差が大きい場合、室内の空調性が低下してしまうという問題があった。更に、空気調和装置が換気運転を行った場合、外気によって室内の温度が変化してしまうので、室内の温度を設定温度に近づけるために、大きな能力で圧縮機を運転しなければならず、消費電力が増大してしまう等、空調運転の効率が低下してしまうという問題があった。
【０００５】
そこで、本発明の目的は、上述した従来の技術が有する課題を解消し、室内の換気時の空調性を向上させ、効率的な空調運転を行う空気調和装置を提供することにある。
【課題を解決するための手段】
【０００６】
上記課題を解決するため、本発明は、圧縮機、熱源側熱交換器、蓄熱槽内に設けられた蓄熱コイル、及び利用側熱交換器を備え、前記蓄熱槽に氷を生成する製氷運転を可能とするとともに、冷房運転を可能とした空気調和装置において、外気を前記蓄熱槽に導き、この蓄熱槽で熱交換させた後に室内に導く外気導入手段を備えたことを特徴とするものである。
【０００７】
この空気調和装置において、前記外気導入手段は、全熱交換器を備え、この全熱交換器で熱交換した外気を前記蓄熱槽に導くようにしてもよい。
【０００８】
また、上記空気調和装置において、前記蓄熱槽には、所定の条件が成立した場合に外気が導かれるようにしてもよい。
【０００９】
更に、上記空気調和装置において、前記外気導入手段は、前記蓄熱槽内に配置され、この蓄熱槽で外気を熱交換させる伝熱管を備えてもよい。
【００１０】
更にまた、上記空気調和装置において、前記外気導入手段は、前記蓄熱槽内に外気を放出する外気放出手段を備え、この外気放出手段により放出された外気を室内に導くようにしてもよい。
【発明の効果】
【００１１】
本発明によれば、室内の換気時の空調性の低下が抑制されるとともに、効率的な空調運転を行うことができる。
【発明を実施するための最良の形態】
【００１２】
以下、本発明の実施形態について図面を参照して説明する。
【００１３】
［１］第１実施形態
図１は、本発明に係る空気調和装置の第１実施形態が適用された氷蓄熱ユニットを備えた空気調和装置を示す管路図である。
【００１４】
空気調和装置１０は、図１に示すように、熱源側ユニット１１、蓄熱ユニットとしての氷蓄熱ユニット１２及び利用側ユニット１３を有して構成される。熱源側ユニット１１の冷媒配管１４と、利用側ユニット１３の冷媒配管３０を接続する冷媒配管１５Ａ及び１５Ｂとが、氷蓄熱ユニット１２の冷媒配管１６，１７により接続される。冷媒配管１５Ａが冷媒配管１６に、冷媒配管１５Ｂが冷媒配管１７に接続される。
【００１５】
熱源側ユニット１１及び氷蓄熱ユニット１２は、例えば、室外に設置され、利用側ユニット１３は、被空調室である室内に設置される。
【００１６】
熱源側ユニット１１は、容量可変型の圧縮機１８と、アキュムレータ１９と、四方弁２０と、熱源側熱交換器２１と、電動膨張弁（減圧器）２２と、レシーバタンク２３とを備え、冷媒配管１４に圧縮機１８が配設され、この圧縮機１８の吸込側にアキュムレータ１９が、吐出側に四方弁２０がそれぞれ配設され、この四方弁２０に熱源側熱交換器２１、電動膨張弁２２及びレシーバタンク２３が冷媒配管１４を介して順次接続される。更に、熱源側ユニット１１は、熱源側熱交換器２１に送風する熱源側送風機２４を備えている。
【００１７】
利用側ユニット１３は、利用側熱交換器２５及び電動膨張弁（減圧器）２６を備え、冷媒配管３０に利用側熱交換器２５が配設され、この冷媒配管３０において利用側熱交換器２５近傍に電動膨張弁２６が配設されて構成される。この電動膨張弁２６は、空調負荷に応じて開度が調整される。更に、利用側ユニット１３は、利用側熱交換器２５に送風する利用側送風機２７を備えており、空気が利用側熱交換器２５で冷媒と熱交換した後に、被調和室に吹出される。また、利用側ユニット１３は、室内の換気を行う換気装置５０を備えている。この換気装置５０は、空調用の各種機器２５、２６、２７等が収められる利用側ユニット１３の筐体内に一体に収められている。
【００１８】
上記氷蓄熱ユニット１２は、蓄熱コイル３５を収容した蓄熱槽としての氷蓄熱槽３６を備えるとともに、冷媒配管１６にレシーバタンク３７、電動膨張弁３８及び第１電磁弁４１が、熱源側ユニット１１側から利用側ユニット１３へ向かい順次配設される。また、冷媒配管１６には、電動膨張弁３８と第１電磁弁４１との間に、接続配管３９を介して蓄熱コイル３５の一端が接続される。蓄熱コイル３５の他端は、接続配管４０を介して氷蓄熱ユニット１２の冷媒配管１７に接続され、この接続配管４０に第２電磁弁４２が配設される。更に、冷媒配管１６には、レシーバタンク３７と電動膨張弁３８との間に、第３電磁弁４３を備えた接続配管４４の一端が接続される。この接続配管４４の他端は、接続配管４０における第２電磁弁４２と蓄熱コイル３５との間に接続される。
【００１９】
上記氷蓄熱槽３６内には二次媒体としての水が充填され、蓄熱コイル３５は水没状態で配設される。空気調和装置１０の製氷運転時には、蓄熱コイル３５内に、熱源側熱交換器２１からの一次媒体としての液冷媒が流入して蒸発し、これにより、蓄熱コイル３５の外周に氷が付着して形成されて、この氷に冷熱が蓄熱される。空気調和装置１０の解氷冷房運転時には、蓄熱コイル３５内に、熱源側熱交換器２１からの液冷媒が満杯状態で流入し、この液冷媒は、蓄熱コイル３５外周に付着した氷を融解し、この氷の冷熱により過冷却状態となる。
【００２０】
熱源側ユニット１１には、空気調和装置１０全体の運転制御を行う制御手段としての制御装置４５が設けられている。ここで、この制御装置４５は、氷蓄熱ユニット１２或いは利用側ユニット１３に設けられる場合であってもよいし、これらユニット１１，１２，１３とは別体（例えば、リモートコントローラ）に設けられてもよい。
【００２１】
次に、空気調和装置１０の製氷運転について詳細に説明する。
【００２２】
図１に示す空気調和装置１０の製氷運転は、例えば、夜間１０時から翌朝８時までの時間帯に、熱源側ユニット１１における熱源側熱交換器２１からの冷媒を氷蓄熱ユニット１２における氷蓄熱槽３６内の蓄熱コイル３５へ供給し、氷蓄熱槽３６内に氷を作る運転である。
【００２３】
この場合には、氷蓄熱ユニット１２において、第１電磁弁４１及び第３電磁弁４３が閉弁され、電動膨張弁３８及び第２電磁弁４２が開弁操作される。また、利用側ユニット１３の電動膨張弁２６が閉弁される。この状態で、圧縮機１８から吐出されたガス冷媒は、熱源側熱交換器２１にて凝縮され、電動膨張弁２２並びに氷蓄熱ユニット１２の電動膨張弁３８を経て減圧され、氷蓄熱槽３６内の蓄熱コイル３５へ流入する。この蓄熱コイル３５内に流入した冷媒は蒸発されて、蓄熱コイル３５の外周に氷が形成される。その後、蓄熱コイル３５内のガス冷媒は、接続配管４０及び第２電磁弁４２並びに冷媒配管１７を経て四方弁２０へ至り、アキュムレータ１９を経て圧縮機１８に戻される。この製氷運転によって氷蓄熱槽３６内に氷が形成され、この氷の冷熱が、解氷冷房運転に利用される。
【００２４】
次に、空気調和装置１０の解氷冷房運転について詳細に説明する。
【００２５】
空気調和装置１０の解氷冷房運転は、例えば、昼間、気温が上昇する時間帯に、熱源側ユニット１１における熱源側熱交換器２１からの液冷媒を、氷蓄熱ユニット１２における氷蓄熱槽３６内の蓄熱コイル３５へ供給させて過冷却状態とし、この過冷却状態の液冷媒を利用側ユニット１３の利用側熱交換器２５へ供給して実施される。
【００２６】
この場合には、氷蓄熱ユニット１２において、第２電磁弁４２が閉弁され、第１電磁弁４１及び第３電磁弁４３が開弁され、電動膨張弁３８の開度が調整される。また、利用側ユニット１３の電動膨張弁２６の開度が調整される。
【００２７】
この圧縮機１８から吐出されたガス冷媒は、熱源側熱交換器２１にて凝縮され、電動膨張弁２２並びに氷蓄熱ユニット１２の冷媒配管１６、接続配管４４及び第３電磁弁４３を経て氷蓄熱槽３６内の蓄熱コイル３５へ流入する。この蓄熱コイル３５内に流入した液冷媒は、蓄熱コイル３５内を満杯状態で流れ、蓄熱コイル３５の外周に付着した氷を解氷し、この氷に蓄熱された冷熱により過冷却状態となる。その後、蓄熱コイル３５内の過冷却状態の液冷媒は、接続配管３９、第１電磁弁４１及び冷媒配管１６、並びに利用側ユニット１３の冷媒配管１５Ａ及び電動膨張弁２６を経て利用側熱交換器２５へ流入し、この利用側熱交換器２５により蒸発して室内を冷房する。その後、ガス冷媒は、冷媒配管３０及び冷媒配管１５Ｂを通り、氷蓄熱ユニット１２の冷媒配管１７を経て、四方弁２０及びアキュムレータ１９を経た後、圧縮機１８へ戻される。
【００２８】
従って、この解氷冷房運転時では、前述の製氷運転で氷蓄熱槽３６内の氷の冷熱を利用し、氷蓄熱槽３６の蓄熱コイル３５内で液冷媒を過冷却状態として利用側熱交換器２５へ供給するので、この利用側熱交換器２５における冷房運転の効率を向上させることができる。
【００２９】
次に、空気調和装置１０の通常冷房運転について詳細に説明する。
【００３０】
空気調和装置１０における通常冷房運転は、氷蓄熱ユニット１２における氷蓄熱槽３６内の氷に蓄熱された冷熱を利用しないで実施される冷房運転であり、第２電磁弁４２及び第３電磁弁４３が閉弁され、電動膨張弁３８及び第１電磁弁４１が開弁される。また、利用側ユニット１３における電動膨張弁２６は開弁される。
【００３１】
この状態で、熱源側ユニット１１の圧縮機１８が起動されると、この圧縮機１８から吐出されたガス冷媒は、熱源側熱交換器２１にて凝縮され、電動膨張弁２２並びに氷蓄熱ユニット１２の冷媒配管１６、電動膨張弁３８及び第１電磁弁４１を通り、利用側ユニット１３の冷媒配管１５Ａ及び電動膨張弁２６を経て利用側熱交換器２５へ流入し、この利用側熱交換器２５により蒸発して室内を冷房した後、冷媒配管１５Ｂを通り、氷蓄熱ユニット１２の冷媒配管１７を経、四方弁２０及びアキュムレータ１９を経た後、圧縮機１８へ戻される。
【００３２】
ところで、換気装置５０は、室外空気（外気）を室内に導く外気導入部５１と、室内空気（内気）を室外に排気する内気排出部５２とを備えている。また、換気装置５０は、全熱交換器としての全熱交換素子５３を備えている。この全熱交換素子５３は、外気導入部５１の外気導入風路５４及び内気排出部５２の内気排出風路５５に跨るように配置され、導入された外気と、導入された内気との間で熱交換させる機能を備えている。つまり、空気調和装置１０が冷房運転を行っている際に換気装置５０が換気運転を行う場合、全熱交換素子５３は、暖かい外気と冷えた室内の排気との間で熱交換して外気を冷やし、室内に給気している。また、空気調和装置１０が暖房運転を行っている際に換気装置５０が換気運転を行う場合、全熱交換素子５３は、冷たい外気と暖かい室内の排気との間で熱交換して外気を暖め、室内に給気している。これによって、換気運転により空調性が低下するのを抑制することができる。
【００３３】
外気導入部５１は、外気導入風路５４に給気ファン５６、外気フィルタ５７、全熱交換素子５３及び加湿器５８を備えている。給気ダクト５９を介して外気導入風路５４に導入された外気は、給気ファン５６を経た後、外気フィルタ５７を介して全熱交換素子５３に至り、ここで内気と熱交換した後、加湿器５８を経て室内に吹出される。この加湿器５８には加湿タンク５８Ａが接続され、この加湿タンク５８Ａの加湿水が加湿器５８に順次供給される。
【００３４】
また、内気排出部５２は、内気排出風路５５に全熱交換素子５３、ダンパ６０及び排気ファン６１を備えている。内気排出風路５５に導かれた内気は、全熱交換素子５３に至り、ここで、外気と熱交換した後に、ダンパ６０及び排気ファン６１を経て排気ダクト６２を介して室外に排気される。
【００３５】
ダンパ６０は風路を遮断自在であり、ダンパ６０が動作すると、内気排出風路５５における全熱交換素子５３の出口が封鎖され、内気は、全熱交換素子５３をバイパスし、普通換気風路６３を介して排気ファン６１に至り、排気ダクト６２を介して室外に排気される。
【００３６】
ここで、利用側熱交換器２５を蒸発器として機能させる運転、即ち、空気調和装置１０が冷房運転（例えば、解氷冷房運転や通常冷房運転）を行っている際に換気装置５０が換気運転を行う場合、室内に給気する外気が全熱交換素子５３で冷却されたとしても、この全熱交換素子５３を通過した外気の温度は室温以上である。
【００３７】
本第１実施形態では、換気装置５０の外気導入部５１は、給気ダクト５９を介して外気導入風路５４に導いた外気を、氷蓄熱槽３６に導き、この氷蓄熱槽３６で熱交換させた後に室内に導くように構成されている。具体的には、換気装置５０の外気導入部５１は、全熱交換素子５３で熱交換した外気を氷蓄熱槽３６に導き、この氷蓄熱槽３６で熱交換させた後に室内に導くように構成されている。
【００３８】
詳述すると、氷蓄熱槽３６には、全熱交換素子５３で熱交換した外気が導かれる伝熱管６４が、水没状態で配設されている。これによって、伝熱管６４に導かれた外気が、氷蓄熱槽３６の氷又は水と熱交換し、冷却されることとなる。
【００３９】
従って、利用側熱交換器２５を蒸発器として機能させる運転、即ち、空気調和装置１０が冷房運転（例えば、解氷冷房運転や通常冷房運転）を行う場合、全熱交換素子５３で冷却された外気が、伝熱管６４に導かれて更に冷却され、室内に吹き出される。
【００４０】
これによって、換気運転の際に生暖かい風が室内に吹き付けられるのを抑制することができ、冷風を室内に供給することができるので、換気運転の際の空調性を向上させることができる。
【００４１】
更に、冷房運転を行っている場合に、室内に換気運転による暖かい外気が吹き出されるのを抑制することができるので、室内熱負荷が上昇するのを抑制することができ、更に、圧縮機１８の能力を低減させることができ、圧縮機１８の消費電力を低減させることができるので、ＣＯＰが向上し、効率的な空調運転を行うことができる。
【００４２】
また、解氷冷房運転において、氷蓄熱量が余るような場合（つまり、氷蓄熱槽３６に氷が残ってしまう場合）、又は、所定時間内で解氷を完了させたい場合、氷蓄熱槽３６の解氷を促進させることができるので、蓄熱コイル３５の管同士間の氷のブリッジングや過製氷を抑制することができる。
【００４３】
また、本第１実施形態では、氷蓄熱ユニット１２と利用側ユニット１３との間の外気導入風路５４は、断熱ダクト６６、６７で形成されている。これによって、全熱交換素子５３で熱交換した外気、或いは伝熱管６４で熱交換した外気の熱損失を抑制することができる。
【００４４】
更に、本第１実施形態では、この冷房運転以外の空調運転（例えば、暖房運転や製氷運転）時に、導いた外気が伝熱管６４（つまり、氷蓄熱槽３６）をバイパスするバイパス手段としての三方弁６５が、全熱交換素子５３の外気出口側に配設されている。この三方弁６５は、制御装置４５により弁の開閉が制御される。
【００４５】
以下、制御装置４５による三方弁６５の制御について説明する。まず、制御装置４５は、所定の条件が成立しているか否かの判断として、この空気調和装置１０が冷房運転に設定されているか否かを判断する。
【００４６】
所定の条件が成立している場合、即ち、冷房運転に設定されている場合、制御装置４５は、全熱交換素子５３で熱交換した外気を氷蓄熱槽３６、つまり伝熱管６４に導くように、三方弁６５の開閉制御を行う。これによって、空気調和装置１０が冷房運転を行う場合、外気が伝熱管６４に導かれて冷却され、室内に吹き出されるので、換気運転の際の空調性を向上させることができる。
【００４７】
次に、冷房運転以外の空調運転（例えば、暖房運転や製氷運転）に設定されている場合、制御装置４５は、全熱交換素子５３で熱交換した外気が、伝熱管６４をバイパスして室内に導かれるように、三方弁６５の開閉制御を行う。これによって、暖房運転時は、全熱交換素子５３で暖められた外気が伝熱管６４へ流出するのが遮断されるので、外気が伝熱管６４で冷却されることはなく、空調性の低下を抑制することができる。また、製氷運転時は、全熱交換素子５３を通過した外気が伝熱管６４へ流出するのが遮断されるので、製氷運転の妨げになることはない。
【００４８】
［２］第２実施形態
上記第１実施形態では、氷蓄熱槽３６で外気を熱交換させる伝熱管６４を備え、外気がこの伝熱管６４を通過して室内に導入される場合について説明したが、本第２実施形態では、氷蓄熱槽３６内に外気を放出し、この放出された外気を室内に導くものである。図２は、第２実施形態が適用された氷蓄熱ユニットを備えた空気調和装置を示す管路図であり、図３は、氷蓄熱槽３６の内部構造の一部を示している。以下、この第２実施形態において、上記第１実施形態と同様な部分は、同一の符号を付すことにより説明を省略する。
【００４９】
この氷蓄熱槽３６内には水張りされており、蛇行配置された上記蓄熱コイル３５が、その上端部３５Ａを水面上に突出させて設けられている。製氷運転時には、蓄熱コイル３５内で冷媒を蒸発させて製氷することにより氷蓄熱を行うとともに、解氷運転時には、蓄熱コイル３５内で冷媒を凝縮させて蓄熱コイル３５周辺の氷を解氷させることにより氷蓄熱利用を行う。この解氷時には、蓄熱コイル３５周辺の氷が氷解し、この氷解によって蓄熱コイル３５周辺には環状の氷柱が形成される。
【００５０】
本第２実施形態では、図４に示すように、上記氷蓄熱槽３６の底部に、複数の底部材１１１が横並びに配置され、その内の少なくとも一つの底部材１１１Ａには、氷蓄熱槽３６内に外気を放出する外気放出手段（パイプ）９５が設けられている。このパイプ９５には、全熱交換素子５３で熱交換した外気が導かれる。そして、この氷蓄熱槽３６に導かれた外気は、氷蓄熱槽３６の上部に設けた排気口３６Ａを介し、断熱ダクト６７を通じて室内に導かれる。
【００５１】
これら底部材１１１，１１１Ａの上には、上記パイプ９５を通じて供給された空気を貯留する空気貯留部９２を有した複数の支持部材９３が、当該底部材１１１に略直交するように掛け渡されている。
【００５２】
上記底部材１１１，１１１Ａおよび支持部材９３は、それぞれ下面を開口した箱形部材からなっており、上記パイプ９５を通じて空気が供給されると、まず一つの底部材１１１Ａの内部に空気が導かれ、ついでこの底部材１１１Ａの上面に形成された貫通孔１１３を通じてすべての支持部材９３の空気貯留部９２に空気が均一に行き渡って貯留される。
【００５３】
この支持部材９３の側壁９６には蛇行した蓄熱コイル３５の直管部３５Ｂが固定具９７を用いて固定されている。この固定具９７の近傍には細孔からなる空気供給孔９８が形成され、この空気供給孔９８は空気貯留部９２と連通して蓄熱コイル３５の直管部３５Ｂ周辺に空気を導入可能に形成されている。
【００５４】
上述した解氷冷房運転が実行されると、まず、蓄熱コイル３５周辺の氷が氷解し、この氷解によって蓄熱コイル３５周辺に環状の氷柱が形成される。また、この氷解によって支持部材９３の側壁９６に形成された空気供給孔９８が上記氷柱に連通し、図３に示すように、この氷柱内に空気の泡１０１が供給される。この泡１０１が氷柱に供給されると、この泡１０１は氷柱内を上昇して冷却され、水面上に突出した蓄熱コイル３５の上端部３５Ａ近傍から氷蓄熱槽３６内の上部に排気され、この冷却された空気が、氷蓄熱槽３６の上部に設けた排気口３６Ａから断熱ダクト６７を通じて利用側ユニット１３に導かれ、室内に吹き出される。
【００５５】
以上、本第２実施形態によれば、上記第１実施形態と同様に、換気運転の際に生暖かい風が室内に吹き付けられるのを抑制することができ、冷風を室内に供給することができるので、換気運転の際の空調性を向上させることができる。
【００５６】
更に、冷房運転を行っている場合に、室内に換気運転による暖かい外気が吹き出されるのを抑制することができるので、室内熱負荷が上昇するのを抑制することができ、更に、圧縮機１８の能力を低減させることができ、圧縮機１８の消費電力を低減させることができるので、ＣＯＰが向上し、効率的な空調運転を行うことができる。
【００５７】
また、解氷冷房運転において、氷蓄熱量が余るような場合（つまり、氷蓄熱槽３６に氷が残ってしまう場合）、又は、所定時間内で解氷を完了させたい場合、外気が直接氷蓄熱槽３６の蓄熱コイル３５近傍の水或いは氷に放出されるので、より効果的に氷蓄熱槽３６の解氷を促進させることができ、蓄熱コイル３５の管同士間の氷のブリッジングや過製氷を効果的に抑制することができる。
【００５８】
以上、一実施形態に基づいて本発明を説明したが、本発明は、これに限定されるものではない。
【００５９】
例えば、上記実施形態では、外気が全熱交換素子５３を介して氷蓄熱槽３６に導入されるように構成した場合について説明したが、これに限るものではなく、外気を全熱交換素子を介さずに直接氷蓄熱槽に導入するように構成してもよい。これによっても、換気運転の際に室内に冷風を吹き出すことができるので、換気運転の際の空調性を向上させることができる。
【００６０】
また、上記実施形態では、伝熱管６４をバイパスするバイパス手段として三方弁６５を設けた場合について説明したが、これに限るものではなく、この三方弁の替わりにダンパを設けてもよい。
【図面の簡単な説明】
【００６１】
【図１】本発明に係る空気調和装置の第１実施形態が適用された氷蓄熱ユニットを備えた空気調和装置を示す管路図である。
【図２】第２実施形態が適用された氷蓄熱ユニットを備えた空気調和装置を示す管路図である。
【図３】氷蓄熱槽の内部構造の一部を示す断面図である。
【図４】氷蓄熱槽の断面斜視図である。
【符号の説明】
【００６２】
１０  空気調和装置
１８  圧縮機
２１  熱源側熱交換器
２５  利用側熱交換器
３５  蓄熱コイル
３６  氷蓄熱槽（蓄熱槽）
５１  外気導入部（外気導入手段）
５２  内気排出部
５４  全熱交換素子（全熱交換器）
６４  伝熱管
９５  パイプ（外気放出手段）
【図１】
2006002956.tif 000003
【図２】
2006002956.tif 000004
【図３】
2006002956.tif 000005
【図４】
2006002956.tif 000006